(57)【要約】【課題】中空部材の中空部内に設けられる補強部材を支持しつつ、中空部材における防火性能を向上させる。【解決手段】中空部材７Ａ、８Ａは、長手方向に沿って延びる中空部７Ｂ、８Ｂを有し、中空部７Ｂ、８Ｂを接続した状態で、接合部４２で接合される。補強部材３１〜３３は、中空部７Ｂ、８Ｂ内に中空部材７Ａ、８Ａの長手方向に沿って設けられる。空所部４３は、中空部７Ｂ、８Ｂ内で、補強部材３１〜３２の端部３１Ｃ〜３２Ｃの間に位置する。連結部材５０は、空所部４３に配置される遮炎部材５２を有し、中空部材７Ａ、８Ａに設けられた補強部材３１、３２同士を連結する。【選択図】  図９
2018145711.tif 000002
【特許請求の範囲】
【請求項１】
それぞれの長手方向に沿って延びる中空部を有する複数の中空部材と、前記複数の中空部材により形成された開口部と、を備えた建具であって、
２つの前記中空部材が前記中空部を接続した状態で接合された接合部と、
前記中空部内に前記中空部材の長手方向に沿って設けられた補強部材と、
前記接合部で接続された前記中空部内で、前記２つの中空部材に設けられた前記補強部材の端部の間に位置する空所部と、
前記空所部に配置される遮炎部材を有し、前記２つの中空部材に設けられた前記補強部材同士を連結する連結部材と、
を備えた建具。
【請求項２】
請求項１に記載された建具において、
前記遮炎部材は、閉塞部材又は加熱発泡材である建具。
【請求項３】
請求項１又は２に記載された建具において、
前記遮炎部材は、前記空所部内で、前記２つの中空部材に設けられた複数の前記補強部材の端部の間に配置される建具。
【請求項４】
請求項１ないし３のいずれかに記載された建具において、
前記連結部材は、前記空所部内に配置される保持部を有し、
前記遮炎部材は、前記保持部に設けられて、前記空所部に保持される建具。
【請求項５】
請求項４に記載された建具において、
前記連結部材は、前記補強部材に取り付けられる取付部を有し、前記取付部により前記補強部材同士を連結し、
前記保持部は、前記取付部から突出して前記空所部内に配置される建具。
【請求項６】
請求項５に記載された建具において、
前記取付部は、前記補強部材に設けられた被係止部に係止して、前記補強部材の動きを規制する係止部を有する建具。
【請求項７】
請求項１ないし６のいずれかに記載された建具において、
前記２つの中空部材は、枠体の枠部材と、前記枠部材に接合されて前記開口部を区画する区画部材である建具。
【発明の詳細な説明】
【技術分野】
【０００１】
本発明は、開口部を形成する複数の中空部材を備えた建具に関する。
【背景技術】
【０００２】
建物の開口部に設置される建具では、枠体又は框体の構成部材（例えば、枠部材、無目、方立、框部材、桟）として、合成樹脂製の中空部材が用いられることがある。建具の中空部材は、長手方向に沿う中空部を有し、必要に応じて、中空部内に設けられる補強部材により補強される。建具の製造時に、複数の中空部材が接合部で接合されて、複数の中空部材により開口部が形成される。また、従来、中空部材の接合部で、２つの中空部材を突き合わせて溶着する建具が知られている（特許文献１参照）。
【０００３】
特許文献１に記載された従来の建具では、中空部材を溶着するため、中空部材の接合部を板状のヒーターに接触させて溶融する。そのため、補強部材を中空部材の接合部まで配置できず、接合部に補強部材のない部分が生じる。また、接合部で、補強部材同士を組み合わせて支持できず、補強部材が各中空部材の中空部内に個別に設けられる。
【０００４】
これに対し、補強部材による補強をより安定して行うためには、接合部で、補強部材を支持する必要がある。特に、枠体の無目又は方立では、火災により中空部材が加熱されて溶融したときに、補強部材が落下することが懸念されるため、補強部材を支持することが強く求められる。また、中空部材の接合部が溶融することで、接合部に貫通口が生じる虞がある。貫通口の程度によっては、遮炎性能に影響が生じることが懸念されるため、中空部材における防火性能をより向上させる観点から、改良の余地がある。
【先行技術文献】
【特許文献】
【０００５】
【特許文献１】特開２０１４−１２９６６２号公報
【発明の概要】
【発明が解決しようとする課題】
【０００６】
本発明は、前記従来の問題に鑑みなされたもので、その目的は、中空部材の中空部内に設けられる補強部材を支持しつつ、建具の中空部材における防火性能を向上させることである。
【課題を解決するための手段】
【０００７】
本発明は、それぞれの長手方向に沿って延びる中空部を有する複数の中空部材と、前記複数の中空部材により形成された開口部と、を備えた建具である。建具は、２つの前記中空部材が前記中空部を接続した状態で接合された接合部と、前記中空部内に前記中空部材の長手方向に沿って設けられた補強部材と、前記接合部で接続された前記中空部内で、前記２つの中空部材に設けられた前記補強部材の端部の間に位置する空所部と、前記空所部に配置される遮炎部材を有し、前記２つの中空部材に設けられた前記補強部材同士を連結する連結部材と、を備える。
【発明の効果】
【０００８】
本発明によれば、中空部材の中空部内に設けられる補強部材を支持しつつ、建具の中空部材における防火性能を向上させることができる。
【図面の簡単な説明】
【０００９】
【図１】本実施形態の建具の正面図である。
【図２】本実施形態の建具の断面図である。
【図３】本実施形態の建具の断面図である。
【図４】本実施形態の建具の断面図である。
【図５】本実施形態の枠体の正面図である。
【図６】本実施形態の枠体の正面図である。
【図７】本実施形態の枠体の斜視図である。
【図８】本実施形態の枠体の斜視図である。
【図９】本実施形態の枠体の接合部付近を示す正面図である。
【図１０】本実施形態の連結部材の斜視図である。
【図１１】連結部材の他の例を示す図である。
【図１２】連結部材の他の例を示す図である。
【発明を実施するための形態】
【００１０】
本発明の建具の一実施形態について、図面を参照して説明する。
本実施形態の建具は、窓であり、開口部を形成する複数の中空部材を備えている。以下では、複数の窓部を備えた段窓を例にとり、本実施形態の建具について説明する。
【００１１】
図１は、本実施形態の建具１の正面図であり、室内側からみた建具１の概略構成を模式的に示している。
図示のように、建具１は、建物の開口部に設置されて、建物の室内と室外の間に配置される。また、建具１は、上下に配置された２つの窓部２、３（上窓部２、下窓部３）を有する。上窓部２は、建具１内で上側に設けられる開閉窓（ここでは、縦すべり出し窓）であり、建具１の上側部分で開閉される。下窓部３は、建具１内で下側に設けられる固定窓であり、建具１の下側部分を閉鎖する。
【００１２】
建具１は、上下に配置された２つの障子１０、１１（上障子１０、下障子１１）と、障子１０、１１を囲む枠体４を備えている。上障子１０は、上窓部２に設けられた開閉可能な開閉障子であり、枠体４の上開口部４Ａに配置される。上障子１０の開閉により、枠体４の上開口部４Ａが開閉される。下障子１１は、下窓部３に設けられた開閉不能な固定障子であり、枠体４の下開口部４Ｂに配置される。下障子１１により、枠体４の下開口部４Ｂが閉鎖される。
【００１３】
枠体４は、建物の開口部に設置される方形状の開口枠（窓枠）であり、枠組みされた４つの枠５〜７（上枠５、下枠６、一対の縦枠７）と１つの無目８を有する。枠５〜７と無目８は、枠体４を構成する長尺な構成部材であり、それぞれ障子１０、１１の縁部に沿って配置される。また、枠５〜７は、方形状に組み合わされる枠体４の枠部材であり、無目８は、枠体４の開口部４Ａ、４Ｂを区画する枠体４の区画部材である。無目８は、一対の縦枠７の間に配置されて、枠体４の内側部分を上下に区画する。枠５〜７と無目８により、枠体４の方形状の開口部４Ａ、４Ｂが形成される。
【００１４】
枠体４の２つの開口部４Ａ、４Ｂは、無目８により区画されて、無目８の上側と下側に形成される。また、上開口部４Ａは、上枠５、一対の縦枠７（上側部分）、及び、無目８により形成され、下開口部４Ｂは、下枠６、一対の縦枠７（下側部分）、及び、無目８により形成される。上障子１０は、上開口部４Ａに開閉可能に配置され、下障子１１は、下開口部４Ａに固定される。障子１０、１１は、無目８の上側と下側に配置され、無目８は、障子１０、１１の間に配置される。
【００１５】
図２〜図４は、本実施形態の建具１の断面図である。図２は、建具１を垂直方向（図１のＸ１−Ｘ１線）に切断した縦断面図である。図３は、建具１の上窓部２を水平方向（図１のＸ２−Ｘ２線）に切断した横断面図である。図４は、建具１の下窓部３を水平方向（図１のＸ３−Ｘ３線）に切断した横断面図である。
図示のように、下障子１１は、方形状の固定体（ここでは、複数のガラス板を有する複層ガラス）であり、枠体４（下枠６、一対の縦枠７、無目８）の内側に嵌め込まれて、枠体４に固定される。
【００１６】
上障子１０は、方形状の開閉体であり、框体１２と、框体１２内に配置されたパネル体１３を有する。框体１２は、枠組みされた４つの框１４〜１６（上框１４、下框１５、一対の縦框１６）を有する。框１４〜１６は、框体１２を構成する長尺な構成部材（框部材）であり、パネル体１３の縁部に沿って配置される。また、框１４〜１６は、中空部を有する中空部材からなり、方形状に組み合わされる。パネル体１３は、複数のガラス板を有する方形状の複層ガラスであり、框体１２の内側に嵌め込まれる。
【００１７】
框１４〜１６は、合成樹脂製の樹脂框であり、合成樹脂の押出成形により成形される。また、框１４〜１６は、同じ押出形材から形成されており、框１４〜１６の長手方向に直交する断面の形状は、同じ形状になっている。框体１２の組み立て時に、框１４〜１６の端部は、溶着されて、互いに接合される。框１４〜１６は、互いの中空部が接続された状態（中空部が繋がる状態）で、溶着により接合される。補強部材１７が一対の縦框１６の中空部内に設けられて、一対の縦框１６が補強部材１７により補強される。
【００１８】
建具１は、上障子１０の開閉を操作する操作機構２０を備えている。操作機構２０は、上障子１０を開閉可能に支持する開閉機構２１と、開閉機構２１に連結された操作部材２２を有する。操作部材２２は、回転可能な操作ハンドルであり、枠体４から室内側に突出する。上障子１０の開閉時には、操作部材２２を回転して、開閉機構２１を操作部材２２の回転に連動して動作させる。操作機構２０は、操作部材２２により操作されて、開閉機構２１により上障子１０を開閉する（図３の矢印Ｋ参照）。上障子１０は、室外側と枠体４側とに移動して、開閉する。
【００１９】
枠体４の枠５〜７は、複数のねじ２３により、建物の開口部を囲む縁部（開口縁部）に取り付けられる。枠体４の枠５〜７と無目８は、中空状に形成された中空部材５Ａ〜８Ａからなる。中空部材５Ａ〜８Ａは、合成樹脂製の長尺な押出形材であり、合成樹脂の押出成形により成形される。従って、枠５〜７は、樹脂枠であり、無目８は、樹脂無目である。枠５〜７の中空部材５Ａ〜７Ａは、同じ押出形材から形成されており、中空部材５Ａ〜７Ａの長手方向に直交する断面の形状は、同じ形状になっている。無目８の中空部材８Ａは、他の中空部材５Ａ〜７Ａとは異なる押出形材から形成されており、中空部材８Ａの長手方向に直交する断面の形状は、他の中空部材５Ａ〜７Ａとは異なる形状になっている。
【００２０】
ここでは、中空部材５Ａ〜８Ａの見込み方向は、室内外方向であり、中空部材５Ａ〜８Ａの見付け方向は、各中空部材５Ａ〜８Ａの見込み方向と長手方向に直交する方向である。建具１を室内側（又は、室外側）からみたときに、上下方向に長尺な縦枠７の中空部材７Ａでは、左右方向が見付け方向であり、左右方向に長尺な上枠５、下枠６、及び、無目８の中空部材５Ａ、６Ａ、８Ａでは、上下方向が見付け方向である。
【００２１】
中空部材５Ａ〜８Ａは、それぞれの長手方向に沿って延びる中空部５Ｂ〜８Ｂを有する。中空部５Ｂ〜８Ｂは、各中空部材５Ａ〜８Ａの長手方向に沿って連続して形成されて、各中空部材５Ａ〜８Ａを長手方向に貫通し、各中空部材５Ａ〜８Ａの長手方向の両端部に開口する。また、中空部５Ｂ〜８Ｂは、中空部材５Ａ〜８Ａのベース部であり、障子１０、１１の外周部に沿って配置されて、障子１０、１１を囲む。
【００２２】
中空部５Ｂ〜８Ｂの障子１０、１１側の部分は、各中空部材５Ａ〜８Ａの見込み方向に沿って形成された見込み部５Ｃ〜８Ｃ、８Ｄであり、障子１０、１１の外周部と対向する。枠５〜７の中空部材５Ａ〜７Ａは、１つの見込み部５Ｃ〜７Ｃと、中空部５Ｂ〜７Ｂの室外側に形成された室外側部５Ｄ〜７Ｄと、中空部５Ｂ〜７Ｂの室内側に形成された突出部５Ｅ〜７Ｅを有する。室外側部５Ｄ〜７Ｄは、中空部５Ｂ〜７Ｂから室外側に突出し、突出部５Ｅ〜７Ｅは、見込み部５Ｃ〜７Ｃから枠体４の開口部４Ａ、４Ｂの内方側に突出する。
【００２３】
無目８の中空部材８Ａは、２つの見込み部８Ｃ、８Ｄ（上見込み部８Ｃ、下見込み部８Ｄ）と、中空部８Ｂの室内側に形成された２つの突出部（上突出部８Ｅ、下突出部８Ｆ）を有する。上見込み部８Ｃは、上障子１０（上開口部４Ａ）側に位置する中空部８Ｂの上側部であり、下見込み部８Ｄは、下障子１１（下開口部４Ｂ）側に位置する中空部８Ｂの下側部である。上突出部８Ｅは、上見込み部８Ｃから枠体４の上開口部４Ａの内方側に突出し、下突出部８Ｆは、下見込み部８Ｄから枠体４の下開口部４Ｂの内方側に突出する。
【００２４】
枠体４の上開口部４Ａにおいて、上枠５の中空部材５Ａの突出部５Ｅ、縦枠７の中空部材７Ａの突出部７Ｅ、及び、無目８の中空部材８Ａの上突出部８Ｅは、上障子１０の室内側に配置されて、上障子１０の縁部（框体１２の框１４〜１６）と対向する。枠体４の下開口部４Ｂにおいて、下枠６の中空部材６Ａの突出部６Ｅ、縦枠７の中空部材７Ａの突出部７Ｅ、及び、無目８の中空部材８Ａの下突出部８Ｆは、下障子１１の室内側に配置されて、下障子１１の縁部と対向する。また、押縁６Ｇ〜８Ｇが、中空部材６Ａ〜８Ａに取り付けられて、下障子１１の室外側に配置され、下障子１１の縁部と対向する。下障子１１は、突出部６Ｅ、７Ｅ、８Ｆと押縁６Ｇ〜８Ｇの間に保持される。
【００２５】
建具１は、中空部材７Ａ、８Ａを補強する複数の補強部材３１〜３３（１つの第１補強部材３１、２つの第２補強部材３２、２つの第３補強部材３３）を備えている。補強部材３１〜３３は、それぞれ室外側に向かって開放された溝形状（凹形状）に形成されている。第１補強部材３１は、無目８の中空部材８Ａを補強する無目用補強部材であり、中空部材８Ａの中空部８Ｂ内に設けられる。第２補強部材３２と第３補強部材３３は、一対の縦枠７の中空部材７Ａを補強する縦枠用補強部材であり、中空部材７Ａの中空部７Ｂ内に設けられる。
【００２６】
補強部材３１〜３３は、不燃性又は難燃性の耐火部材であり、中空部材７Ａ、８Ａよりも融点が高い材料で形成されている。ここでは、補強部材３１〜３３は、長尺な金属部材であり、金属（例えば、スチール、アルミニウム合金、ステンレス鋼）で形成されている。また、補強部材３１〜３３は、中空部材７Ａ、８Ａの見付け方向に沿って形成された板状部３１Ａ〜３３Ａと、中空部材７Ａ、８Ａの見込み方向に沿って形成された一対の突片３１Ｂ〜３３Ｂと、板状部３１Ａ〜３３Ａの略全長に対応する加熱発泡材３１Ｄ〜３３Ｄを有する。板状部３１Ａ〜３３Ａは、中空部７Ｂ、８Ｂ内で室内側に配置される。一対の突片３１Ｂ〜３３Ｂは、中空部材７Ａ、８Ａの見付け方向の両側に位置する板状部３１Ａ〜３３Ａの両端部から室外側に突出する。
【００２７】
加熱発泡材３１Ｄ〜３３Ｄは、補強部材３１〜３３の板状部３１Ａ〜３３Ａに設けられた熱膨張耐火材であり、加熱されたときに発泡して膨張する。補強部材３１の加熱発泡材３１Ｄは、板状部３１Ａの室内側と室外側の両方に設けられ、補強部材３２、３３の加熱発泡材３２Ｄ、３３Ｄは、板状部３２Ａ、３３Ａのそれぞれの室外側に設けられる。火災の熱により中空部材７Ａ、８Ａの中空部７Ｂ、８Ｂを含む部分が溶融するときには、中空部材７Ａ、８Ａに孔が開いて、中空部７Ｂ、８Ｂに貫通口が生じる虞がある。この場合には、加熱発泡材３１Ｄ〜３３Ｄは、熱により発泡して、中空部７Ｂ、８Ｂ内で膨張する。膨張した加熱発泡材３１Ｄ〜３３Ｄにより、貫通口の少なくとも一部が閉塞されて、火炎に対する遮炎性能が発揮される。
【００２８】
無目８では、１つの補強部材（第１補強部材３１）が、中空部材８Ａの長手方向に沿って設けられて、中空部８Ｂの内面に沿って配置される。一対の縦枠７のそれぞれでは、２つの補強部材（第２補強部材３２と第３補強部材３３）が、中空部材７Ａの長手方向に沿って設けられて、中空部７Ｂの内面に沿って配置される。第２補強部材３２と第３補強部材３３は、中空部材７Ａの中空部７Ｂ内で上側と下側に配置され、中空部材７Ａの長手方向の互いに異なる領域に設けられる。
【００２９】
図５、図６は、本実施形態の枠体４の正面図であり、室外側からみた枠体４を示している。図７、図８は、本実施形態の枠体４の斜視図である。図６、図８では、一方の縦枠７の中空部材７Ａと無目８の中空部材８Ａを省略して、中空部材７Ａ、８Ａ内の補強部材３１〜３３を示している。
図示のように、建具１は、複数の中空部材５Ａ〜８Ａと、複数の中空部材５Ａ〜８Ａにより形成された開口部４Ａ、４Ｂと、中空部材５Ａ〜８Ａの接合部４０〜４２と、補強部材３１、３２同士を連結する連結部材５０を備えている。
【００３０】
複数の中空部材５Ａ〜８Ａは、接合部４０〜４２で接合されて、互いに組み合わされ、枠体４の２つの開口部４Ａ、４Ｂを形成する。上開口部４Ａは、４つの中空部材５Ａ、７Ａ、７Ａ、８Ａにより、枠体４内の上側部分（建具１の上窓部２）に形成される。下開口部４Ｂは、４つの中空部材６Ａ、７Ａ、７Ａ、８Ａにより、枠体４内の下側部分（建具１の下窓部３）に形成される。無目８の中空部材８Ａは、上開口部４Ａと下開口部４Ｂの間に配置される。
【００３１】
枠５〜７では、中空部材５Ａ〜７Ａの長手方向の両端部５Ｈ〜７Ｈが接合部４０、４１で接合される。具体的には、上枠５の中空部材５Ａの端部５Ｈは、上側の接合部４０で、縦枠７の中空部材７Ａの端部７Ｈ（上端部）に接合される。下枠６の中空部材６Ａの端部６Ｈは、下側の接合部４１で、縦枠７の中空部材７Ａの端部７Ｈ（下端部）に接合される。中空部材５Ａ〜７Ａの端部５Ｈ〜７Ｈは、それぞれの長手方向に対して傾斜する方向に切断され、加熱された状態で、突き合わされる。これにより、中空部材５Ａ〜７Ａの端部５Ｈ〜７Ｈは、接合部４０、４１で溶着されて、互いに接合される。
【００３２】
無目８と縦枠７では、中空部材８Ａの長手方向の両端部８Ｈが接合部４２で中空部材７Ａの長手方向の中間部７Ｊに接合される。無目８の中空部材８Ａの端部８Ｈは、長手方向の外側に突出するＶ字状（凸状）に形成される。縦枠７の中空部材７Ａの中間部７Ｊは、中空部材７Ａの両端部７Ｈの間に位置し、中空部材７Ａ内に窪むＶ字状（凹状）に形成される。中空部材８Ａの端部８Ｈと中空部材７Ａの中間部７Ｊは、加熱された状態で、突き合わされる。これにより、中空部材８Ａの端部８Ｈは、中空部材７Ａの中間部７Ｊ内に配置される。また、中空部材８Ａの端部８Ｈと中空部材７Ａの中間部７Ｊは、接合部４２で溶着されて、互いに接合される。
【００３３】
接合部４０〜４２のそれぞれで、２つの中空部材５Ａ〜８Ａは、互いの中空部５Ｂ〜８Ｂを接続した状態（中空部５Ｂ〜８Ｂが繋がる状態）で、溶着により接合される。従って、接合部４０〜４２は、中空部材５Ａ〜８Ａの溶着部である。複数の中空部材５Ａ〜８Ａは、突き合わされた状態で接合されて、枠状に組み合わされる。接合部４０〜４２において、中空部材５Ａ〜８Ａの中空部５Ｂ〜８Ｂが継ぎ合わされて、中空部５Ｂ〜８Ｂ内の空間が繋がる。
【００３４】
無目８の中空部材８Ａ内で、第１補強部材３１は、中空部材８Ａの両端部８Ｈの間、及び、両端部８Ｈに形成された２つの接合部４２の間に配置される。縦枠７の中空部材７Ａ内で、第２補強部材３２は、中空部材７Ａの上側の端部７Ｈと中間部７Ｊの間、及び、端部７Ｈに形成された接合部４０と中間部７Ｊに形成された接合部４２の間に配置される。また、第３補強部材３３は、中空部材７Ａの下側の端部７Ｈと中間部７Ｊの間、及び、端部７Ｈに形成された接合部４１と中間部７Ｊに形成された接合部４２の間に配置される。第２補強部材３２と第３補強部材３３は、それぞれ上窓部２と下窓部３に設けられる。
【００３５】
接合部４２（図７参照）において、２つの矩形状の貫通部７Ｋ、８Ｋが接続される。縦枠７の貫通部７Ｋは、中空部材７Ａの見込み部７Ｃに形成され、中間部７Ｊの上側に設けられる。無目８の貫通部８Ｋは、中空部材８Ａの上見込み部８Ｃに形成される。連結部材５０は、中空部材７Ａ、８Ａの貫通部７Ｋ、８Ｋに配置されて、貫通部７Ｋ、８Ｋで、補強部材３１、３２に取り付けられる。接合部４２において、連結部材５０は、異なる中空部材７Ａ、８Ａに設けられた補強部材３１、３２同士を連結する。
【００３６】
図９は、本実施形態の枠体４の接合部４２付近を示す正面図であり、中空部材７Ａ、８Ａ内の補強部材３１〜３３と連結部材５０を鎖線で示している。図１０は、本実施形態の連結部材５０の斜視図である。
図示のように、２つの中空部材７Ａ、８Ａが接合部４２で接合されて、Ｖ字状の接合部４２が形成される。２つの中空部材７Ａ、８Ａは、枠体４の枠部材である縦枠７と、枠体４の区画部材である無目８である。無目８は、縦枠７に接合されて、枠体４の開口部４Ａ、４Ｂを区画する。中空部材７Ａ、８Ａの中空部７Ｂ、８Ｂは、接合部４２で互いに接続されて、中空部材７Ａ、８Ａ内に連続した空間を形成する。
【００３７】
補強部材３１〜３３は、各中空部材７Ａ、８Ａの中空部７Ｂ、８Ｂ内のみに設けられる。補強部材３１〜３３の端部３１Ｃ〜３３Ｃは、接合部４２側に位置する補強部材３１〜３３の長手方向の端部であり、接合部４２から離して、各中空部７Ｂ、８Ｂ内に配置される。端部３１Ｃを含む第１補強部材３１の全体は、接合部４２にかかることなく、中空部材８Ａの中空部８Ｂ内に収容される。
【００３８】
端部３２Ｃを含む第２補強部材３２の全体、及び、端部３３Ｃを含む第３補強部材３３の全体は、接合部４２にかかることなく、中空部材７Ａの中空部７Ｂ内に収容される。第２補強部材３２と第３補強部材３３は、中空部７Ｂ内で、中空部材７Ａの長手方向（上下方向）に離して配置される。また、第２補強部材３２は、第３補強部材３３及び第１補強部材３１よりも上側に配置され、第３補強部材３３は、第２補強部材３２及び第１補強部材３１よりも下側に配置される。
【００３９】
建具１は、接合部４２で接続された２つの中空部材７Ａ、８Ａの中空部７Ｂ、８Ｂ内に、空所部４３を備える。空所部４３は、接合部４２が位置する部分を含む中空部７Ｂ、８Ｂ内の空間であり、２つの中空部材７Ａ、８Ａのそれぞれに設けられた複数の補強部材３１〜３３の端部３１Ｃ〜３３Ｃの間に位置する。空所部４３は、中空部７Ｂ、８Ｂ内の空間で補強部材３１〜３３のない部分であり、補強部材３１〜３３のそれぞれの端部３１Ｃ〜３３Ｃに対して接合部４２側に位置する。複数の補強部材３１〜３３の端部３１Ｃ〜３３Ｃは、空所部４３を隔てて対峙するように配置される。
【００４０】
連結部材５０は、補強部材３１〜３３と同様に、不燃性又は難燃性の耐火部材であり、中空部材７Ａ、８Ａよりも融点が高い材料で形成されている。また、連結部材５０は、複数の補強部材３１、３２のそれぞれに取り付けられる取付部５１と、空所部４３に配置される遮炎部材５２と、遮炎部材５２を保持する保持部５３を有する。ここでは、連結部材５０は、金属（例えば、スチール、アルミニウム合金、ステンレス鋼）で形成され、取付部５１により、２つの補強部材３１、３２を連結する。
【００４１】
取付部５１は、一方の補強部材（第１補強部材３１）に取り付けられる板状の第１取付片５４と、他方の補強部材（第２補強部材３２）に取り付けられる板状の第２取付片５５を有する。取付部５１は、Ｌ字状に形成され、第１取付片５４と第２取付片５５の間の屈曲部で屈曲する。第１取付片５４と第２取付片５５のなす角度は、直角（９０°）であり、第１取付片５４と第２取付片５５は、互いに直交する方向に沿って形成される。２つの貫通孔５６が第１取付片５４と第２取付片５５のそれぞれに形成され、ビス４４が各貫通孔５６に挿入される。
【００４２】
ビス４４は、貫通孔５６内に配置された状態で、補強部材３１、３２に形成されたネジ穴に固定される。第１取付片５４は、第１補強部材３１に接触して、ビス４４により、第１補強部材３１に取り付けられる。第２取付片５５は、第２補強部材３２に接触して、ビス４４により、第２補強部材３２に取り付けられる。取付部５１は、第１取付片５４と第２取付片５５により、補強部材３１、３２に取り付けられる。
【００４３】
取付部５１により、連結部材５０は、２つの補強部材３１、３２に取り付けられて、２つの中空部材７Ａ、８Ａのそれぞれに設けられた補強部材３１、３２同士を連結する。第１補強部材３１は、連結部材５０及び第２補強部材３２により支持される。保持部５３は、取付部５１から突出する突片であり、第１取付片５４に対して第２取付片５５の反対側に突出する。また、保持部５３は、取付部５１から空所部４３に突出して、空所部４３内に配置される。保持部５３は、中空部材８Ａの中空部８Ｂ内で、第１補強部材３１の端部３１Ｃに沿って配置されて、第２補強部材３２と第３補強部材３３の間に位置する。
【００４４】
遮炎部材５２は、火炎を遮る板状部材であり、保持部５３に設けられて、保持部５３により、空所部４３に保持される。また、遮炎部材５２は、保持部５３から突出して、空所部４３内で、２つの中空部材７Ａ、８Ａに設けられた複数の補強部材３１〜３３の端部３１Ｃ〜３３Ｃと対向する。空所部４３内で、遮炎部材５２は、複数の補強部材３１〜３３の端部３１Ｃ〜３３Ｃのそれぞれに対して接合部４２側に位置し、複数の補強部材３１〜３３の端部３１Ｃ〜３３Ｃの間に配置される。
【００４５】
ここでは、遮炎部材５２は、空所部４３を閉塞する閉塞部材５２Ａである。建具１を室内側（又は、室外側）からみたときに、遮炎部材５２（閉塞部材５２Ａ）は、接合部４２に沿って配置されて、空所部４３の少なくとも一部を閉塞する。遮炎部材５２により、空所部４３が室内側と室外側に仕切られて、空所部４３の一部又は全部が閉塞される。また、遮炎部材５２は、２つの中空部材７Ａ、８Ａの中空部７Ｂ、８Ｂ内に配置され、第２補強部材３２と第３補強部材３３の間で、接合部４２が位置する部分を含む空所部４３の一部を閉塞する。
【００４６】
火災の熱により中空部材７Ａ、８Ａの空所部４３を含む部分が溶融するときには、中空部材７Ａ、８Ａに孔が開いて、空所部４３に貫通口が生じる虞がある。この場合には、遮炎部材５２により、貫通口の少なくとも一部が閉塞されて、火炎に対する遮炎性能が発揮される。
【００４７】
以上説明したように、本実施形態の建具１では、連結部材５０の遮炎部材５２により、中空部材７Ａ、８Ａにおける防火性能を容易に向上させることができる。また、連結部材５０の連結により、中空部材７Ａ、８Ａの中空部７Ｂ、８Ｂに設けられる補強部材３１、３２を支持でき、補強部材３１、３２による中空部材７Ａ、８Ａの補強を安定して行うことができる。無目８（中空部材８Ａ）の第１補強部材３１を縦枠７（中空部材７Ａ）の第２補強部材３２に連結することで、火災時に、第１補強部材３１及び無目８の落下を抑制することができる。
【００４８】
火災時に、連結部材５０の遮炎部材５２により、複数の補強部材３１〜３３の端部３１Ｃ〜３３Ｃの間で、空所部４３に生じる貫通口の少なくとも一部を閉塞して、遮炎することができる。また、連結部材５０の保持部５３により、遮炎部材５２を空所部４３に確実に配置することができる。連結部材５０の取付部５１により補強部材３１、３２同士が連結された状態で、保持部５３は、取付部５１から突出して、空所部４３内に配置される。そのため、補強部材３１、３２の連結に伴い、保持部５３及び遮炎部材５２を空所部４３内に容易に配置できるとともに、保持部５３及び遮炎部材５２を空所部４３内に確実に保持することができる。
【００４９】
なお、連結部材５０は、ビス４４以外の取付手段（例えば、係止機構）により補強部材３１、３２に取り付けてもよい。また、保持部５３を連結部材５０に形成せずに、遮炎部材５２を取付部５１に設けるようにしてもよい。遮炎部材５２は、補強部材３１〜３３から離して配置してもよく、補強部材３１〜３３に接触させてもよい。遮炎部材５２を空所部４３の一部に配置して、遮炎部材５２により空所部４３の一部を閉塞してもよい。遮炎部材５２を空所部４３の全体に配置して、遮炎部材５２により空所部４３の全部を閉塞してもよい。遮炎部材５２は、空所部４３の少なくとも一部を閉塞して遮炎可能な部材であればよく、板状部材以外の部材であってもよい。
【００５０】
図１１は、連結部材５０の他の例を示す図であり、連結部材５０と補強部材３１〜３３を示している。図１１Ａは、図６と同様の正面図であり、図１１Ｂは、図８と同様の斜視図である。
図示のように、ここでは、連結部材５０の取付部５１は、第１取付片５４に形成された係止部５７を有する。係止部５７は、第１補強部材３１の動きを規制する規制部であり、第１取付片５４の先端部から上方に突出する。第１補強部材３１は、上側の突片３１Ｂに形成された被係止部３１Ｅを有する。被係止部３１Ｅは、突片３１Ｂを貫通する矩形状の貫通孔である。
【００５１】
第１取付片５４は、第１補強部材３１の一対の突片３１Ｂの間に配置されて、上側の突片３１Ｂに接触する。上側の突片３１Ｂが第１取付片５４に載せられて、第１補強部材３１が連結部材５０により支持される。また、係止部５７は、第１補強部材３１に設けられた被係止部３１Ｅ内に配置される。その状態で、係止部５７は、被係止部３１Ｅに係止して、第１補強部材３１の動きを規制する。例えば、係止部５７が被係止部３１Ｅの内面に引っ掛かることで、第１補強部材３１の揺れや回転（矢印Ｒ１、Ｒ２参照）が規制される。係止部５７により、取付部５１を第１補強部材３１に簡単に取り付けられるとともに、第１補強部材３１を安定させることができる。
【００５２】
図１２は、連結部材５０の他の例を示す図であり、中空部材７Ａ、８Ａ、補強部材３１〜３３、及び、連結部材５０を図９と同様に示している。図１２Ａは、通常時の連結部材５０を示し、図１２Ｂは、火災時の連結部材５０を示している。
図示のように、ここでは、連結部材５０の遮炎部材５２は、加熱発泡材５２Ｂである。加熱発泡材５２Ｂは、熱膨張耐火材であり、加熱されたときに発泡して膨張する。
【００５３】
加熱発泡材５２Ｂは、連結部材５０に設けられて、空所部４３に配置される。また、加熱発泡材５２Ｂは、保持部５３に取り付けられて、保持部５３により、空所部４３に保持される。空所部４３内で、加熱発泡材５２Ｂは、複数の補強部材３１〜３３の端部３１Ｃ〜３３Ｃの間に配置される。火災時に、加熱発泡材５２Ｂは、熱により発泡して、空所部４３内で膨張する（図１２Ｂ参照）。建具１を室内側（又は、室外側）からみたときに、膨張した加熱発泡材５２Ｂ（遮炎部材５２）により、空所部４３の少なくとも一部が閉塞される。加熱発泡材５２Ｂにより、火炎が遮られて、遮炎性能が発揮される。
【００５４】
補強部材３１〜３３の加熱発泡材３１Ｄ〜３３Ｄは、火災の熱により発泡して、中空部材７Ａ、８Ａの中空部７Ｂ、８Ｂ内で膨張する。また、加熱発泡材３１Ｄ〜３３Ｄは、補強部材３１〜３３の端部３１Ｃ〜３３Ｃから空所部４３側に向かって膨張して、空所部４３内で膨張した加熱発泡材５２Ｂと繋がる。膨張した複数の加熱発泡材５２Ｂ、３１Ｄ〜３３Ｄが空所部４３内で連続することで、より密に空所部４３が閉塞される。加熱発泡材５２Ｂ、３１Ｄ〜３３Ｄにより、建具１の遮炎性能が向上して、より確実に火炎が遮られる。
【００５５】
以上、連結部材５０により第１補強部材３１と第２補強部材３２を連結する例について説明したが、連結部材５０により種々の補強部材同士を連結することができる。連結部材５０により、第１補強部材３１を第３補強部材３３に連結してもよい。また、連結部材５０により３つ以上の補強部材（例えば、補強部材３１〜３３）を連結してもよい。連結対象の補強部材が設けられる中空部材は、接合部で他の中空部材と接合される中空部材であり、中空部材７Ａ、８Ａ以外の中空部材であってもよい。枠体４では、連結対象の補強部材が設けられる中空部材として、枠体４の各部（例えば、上枠５、下枠６、縦枠７、無目８、方立）の中空部材が選択可能である。
【００５６】
例えば、上枠５の中空部材５Ａの補強部材と縦枠７の中空部材７Ａの補強部材を連結してもよく、下枠６の中空部材６Ａの補強部材と縦枠７の中空部材７Ａの補強部材を連結してもよい。方立を有する枠体４では、方立の中空部材の補強部材と上枠５の中空部材５Ａの補強部材を連結してもよく、方立の中空部材の補強部材と下枠６の中空部材６Ａの補強部材を連結してもよい。方立は、枠体４の開口部を区画する区画部材であり、接合部で枠体４の枠部材に接合される。障子の框体が接合部で接合される中空部材であるときには、補強部材を框体の各部（例えば、框、桟）の中空部材に設けて、補強部材同士を連結してもよい。
【００５７】
本発明は、中空部材と補強部材を備えた種々の建具に適用することができる。従って、建具は、段窓に限定されず、他の窓（例えば、すべり出し窓、上げ下げ窓、引き違い窓、開閉窓、固定窓）であってもよい。また、建具は、窓以外の建具（例えば、ドア）であってもよい。
【符号の説明】
【００５８】
１・・・建具、２・・・上窓部、３・・・下窓部、４・・・枠体、５・・・上枠、５Ａ・・・中空部材、５Ｂ・・・中空部、６・・・下枠、６Ａ・・・中空部材、６Ｂ・・・中空部、７・・・縦枠、７Ａ・・・中空部材、７Ｂ・・・中空部、８・・・無目、８Ａ・・・中空部材、８Ｂ・・・中空部、１０・・・上障子、１１・・・下障子、１２・・・框体、１３・・・パネル体、１４・・・上框、１５・・・下框、１６・・・縦框、１７・・・補強部材、２０・・・操作機構、２１・・・開閉機構、２２・・・操作部材、２３・・・ねじ、３１・・・第１補強部材、３２・・・第２補強部材、３３・・・第３補強部材、４０・・・接合部、４１・・・接合部、４２・・・接合部、４３・・・空所部、４４・・・ビス、５０・・・連結部材、５１・・・取付部、５２・・・遮炎部材、５３・・・保持部、５４・・・第１取付片、５５・・・第２取付片、５６・・・貫通孔、５７・・・係止部。
【図１】
2018145711.tif 000003
【図２】
2018145711.tif 000004
【図３】
2018145711.tif 000005
【図４】
2018145711.tif 000006
【図５】
2018145711.tif 000007
【図６】
2018145711.tif 000008
【図７】
2018145711.tif 000009
【図８】
2018145711.tif 000010
【図９】
2018145711.tif 000011
【図１０】
2018145711.tif 000012
【図１１】
2018145711.tif 000013
【図１２】
2018145711.tif 000014